(57)【要約】【課題】高層建築物において緊急脱出用の開口を容易にかつ確実に確保できる緊急脱出装置を提供する。【解決手段】超高層ビルなどの高層建築物の嵌め殺し式ガラス窓11に対面させるように、室内側にユニット状の緊急脱出装置12を設置する。この緊急脱出装置12は、嵌め殺し式ガラス窓11に嵌め込んだガラス板11gと対向する側のみを開口した箱状の遮蔽壁体13を、アンカ14により床面15に固定し、この遮蔽壁体13の内部で、ガラス板11gに沿って火薬16を枠状に配設する。遮蔽壁体13の外壁面に、火薬16を爆発させる起爆装置17を設置し、遮蔽壁体13の内壁面に降下装置18を設置し、この降下装置18により、火薬16の爆発に基づいてガラス板11gに設けた脱出口より避難者を降下させる。【選択図】図１
2008161428.tif 000002
【特許請求の範囲】
【請求項１】
建築物のガラス板に沿って配設された火薬と、
火薬を爆発させる起爆装置と、
火薬の爆発に基づいてガラス板に設けられた脱出口より避難者を降下させる降下装置と
を具備したことを特徴とする緊急脱出装置。
【請求項２】
少なくとも火薬の室内側の周囲空間を覆う遮蔽壁体
を具備したことを特徴とする請求項１記載の緊急脱出装置。
【請求項３】
遮蔽壁体は、火薬の室内側の周囲空間および降下装置の周囲空間を覆い、
火薬の室内側の周囲空間と降下装置の周囲空間との間を仕切る内部扉と、
降下装置の周囲空間に対する遮蔽壁体の開口部に設けられた外部扉と
を具備したことを特徴とする請求項２記載の緊急脱出装置。
【請求項４】
火薬は、ガラス板に対向する側を開口した凹形断面の火薬収納枠体に収納された
ことを特徴とする請求項１乃至３のいずれか記載の緊急脱出装置。
【発明の詳細な説明】
【技術分野】
【０００１】
本発明は、超高層ビルなどの高層建築物から非常時に脱出するために用いる緊急脱出装置に関する。
【背景技術】
【０００２】
高層建築物の火災などにより高層階の窓から緊急脱出する場合は、降下速度を制限できる緩降機を用いてロープまたはベルトを徐々に繰り出せるようにしている（例えば、特許文献１−４参照）。
【０００３】
これらの緩降機は、建築物の窓などの開口からの脱出に用いるものであるが、超高層ビルにおいては、高強度の嵌め殺し式ガラス窓を用いているため、そのような脱出用の開口を確保することが容易でない。
【特許文献１】特開平０９−３２２９４５号公報（第３頁、図５−７）
【特許文献２】特開平１０−３３１５４９号公報（第２頁、図４−５）
【特許文献３】特開平１１−２９０４６７号公報（第３−４頁、図１−２）
【特許文献４】特開２００６−１８７５０３号公報（第３−４頁、図１−２）
【発明の開示】
【発明が解決しようとする課題】
【０００４】
従来は、備え付けの斧などにより嵌め殺し式ガラス窓のガラス板を叩き割るようにしているが、緊急時に高強度のガラス板を短時間で確実に叩き割ることは容易でない。
【０００５】
本発明は、このような点に鑑みなされたもので、高層建築物において緊急脱出用の開口を容易にかつ確実に確保できる緊急脱出装置を提供することを目的とする。
【課題を解決するための手段】
【０００６】
請求項１に記載された発明は、建築物のガラス板に沿って配設された火薬と、火薬を爆発させる起爆装置と、火薬の爆発に基づいてガラス板に設けられた脱出口より避難者を降下させる降下装置とを具備した緊急脱出装置である。
【０００７】
請求項２に記載された発明は、請求項１記載の緊急脱出装置において、少なくとも火薬の室内側の周囲空間を覆う遮蔽壁体を具備したものである。
【０００８】
請求項３に記載された発明は、請求項２記載の緊急脱出装置における遮蔽壁体が、火薬の室内側の周囲空間および降下装置の周囲空間を覆い、火薬の室内側の周囲空間と降下装置の周囲空間との間を仕切る内部扉と、降下装置の周囲空間に対する遮蔽壁体の開口部に設けられた外部扉とを具備したものである。
【０００９】
請求項４に記載された発明は、請求項１乃至３のいずれか記載の緊急脱出装置における火薬が、ガラス板に対向する側を開口した凹形断面の火薬収納枠体に収納されたものである。
【発明の効果】
【００１０】
請求項１に記載された発明によれば、建築物のガラス板に沿って配設された火薬を、起爆装置により爆発させることで、高層建築物に用いられる高強度のガラス板であっても、降下装置により避難者を降下させる緊急脱出用の開口を、短時間のうちに容易にかつ確実に確保できる。
【００１１】
請求項２に記載された発明によれば、少なくとも火薬の室内側の周囲空間を覆う遮蔽壁体により、火薬の爆発時に発生した爆風によるガラス板の破片などの室内への飛散を防止できる。
【００１２】
請求項３に記載された発明によれば、内部扉および外部扉の２重の爆発対策により、遮蔽壁体の遮蔽効果を高めることができる。
【００１３】
請求項４に記載された発明によれば、ガラス板に対向する側を開口した凹形断面の火薬収納枠体により、この火薬収納枠体に収納された火薬の破壊力が、ガラス板に向かって効率良く作用するため、火薬量と、内側への爆風とを最少限に抑えることができる。
【発明を実施するための最良の形態】
【００１４】
以下、本発明を、図１に示された一実施の形態、図２乃至図５に示された他の実施の形態を参照しながら詳細に説明する。
【００１５】
先ず、図１に示された一実施の形態を説明する。
【００１６】
超高層ビルなどの高層建築物の嵌め殺し式ガラス窓11に対面させるように、室内側にユニット状の緊急脱出装置12を設置する。
【００１７】
この緊急脱出装置12は、嵌め殺し式ガラス窓11に嵌め込まれたガラス板11gと対向する側のみを開口した箱状の遮蔽壁体13が、アンカ14により床面15に固定され、この遮蔽壁体13の内部で、ガラス板11gに沿って火薬16が枠状に配設され、遮蔽壁体13の外壁面に、火薬16を爆発させる起爆装置17が設置され、遮蔽壁体13の内壁面に、火薬16の爆発に基づいてガラス板11gに設けられた脱出口より避難者を降下させる降下装置18が設置されている。なお、遮蔽壁体13の上部は、図１では上面開口状に示されているが、天板により閉じられている。
【００１８】
遮蔽壁体13は、火薬16の室内側の周囲空間および降下装置18の周囲空間を覆うものであるが、火薬16の室内側の周囲空間と降下装置18の周囲空間との間は、遮蔽壁体13に固定された仕切板21と、ヒンジ（図示せず）により開閉自在に取付けられた内部扉22とにより仕切られている。
【００１９】
また、降下装置18の周囲空間に対する遮蔽壁体13の開口部23には、ヒンジ（図示せず）により開閉自在に取付けられた外部扉24が設けられている。これらの内部扉22および外部扉24には、閉じた扉をロックするロック機構（図示せず）が設けられている。
【００２０】
火薬16は、例えばプラスチック爆弾などをガラス板11gに貼り付けたものである。起爆装置17は、火薬16まで配線された起爆用リード線に電力を供給する電池と、この電池からの電力供給をオン/オフ操作するスイッチとを備えている。降下装置18は、降下速度を遊星歯車などを用いて制限できる緩降機を用いてロープまたはベルトを徐々に繰り出せるようにしたものである。
【００２１】
次に、この図１に示された実施の形態の作用効果を説明する。
【００２２】
火災などにより高層建築物の嵌め殺し式ガラス窓11を脱出口として緊急脱出せざるを得ない場合は、遮蔽壁体13の内部扉22および外部扉24を閉じた状態で、起爆装置17を操作して火薬16を爆発させ、この爆発により火薬設置域内のガラス板を破壊または破壊寸前の状態にし、脱出口を確保する。爆発時は、閉じられた内部扉22により降下装置18を火薬16の爆発から保護する。
【００２３】
そして、避難者は、外部扉24および内部扉22を開け、火薬16の爆発により確保された脱出口から、降下装置18のロープまたはベルトにより順次脱出する。
【００２４】
このようにして、ガラス板11gに沿って配設された火薬16を、起爆装置17により爆発させることで、高層建築物に用いられる高強度のガラス板11gであっても、降下装置18により避難者を降下させるための緊急脱出用の開口を、短時間のうちに容易にかつ確実に確保できる。
【００２５】
その際、火薬16の室内側の周囲空間を覆う遮蔽壁体13により、火薬16の爆発時に発生した爆風によるガラス板11gの破片などの室内への飛散を防止できる。特に、内部扉22および外部扉24の２重の爆発対策により、遮蔽壁体13の遮蔽効果を高めることができる。
【００２６】
次に、図２乃至図５に示された他の実施の形態を説明する。
【００２７】
図２に示されるように、超高層ビルなどの高層建築物の嵌め殺し式ガラス窓11に対面させるように、室内側にユニット状の緊急脱出装置12を設置する。
【００２８】
この緊急脱出装置12は、嵌め殺し式ガラス窓11に嵌め込まれたガラス板11gと対向する側のみを開口した箱状の遮蔽壁体13が、床面15に固定され、この遮蔽壁体13の内部で、ガラス板11gに沿って火薬16が枠状に配設され、遮蔽壁体13の内壁面に、火薬16の爆発に基づいてガラス板11gに設けられた脱出口より避難者を降下させる降下装置18が設置されている。
【００２９】
遮蔽壁体13は、例えば鉄製のユニットフレームに鉄板などを張って構成したパネルを箱状に組立てたもので、図２では遮蔽壁体13の上部は開口状に示されているが、天板により閉じられている。
【００３０】
図２および図３に示されるように、遮蔽壁体13は、火薬16の室内側の周囲空間および降下装置18の周囲空間を覆うものであるが、火薬16の室内側の周囲空間と降下装置18の周囲空間との間は、遮蔽壁体13に固定された仕切板21と、ヒンジ22hにより開閉自在に取付けられた内部扉22とにより仕切られている。
【００３１】
また、降下装置18の周囲空間に対する遮蔽壁体13の開口部23には、ヒンジ24hにより開閉自在に取付けられた外部扉24が設けられている。これらの内部扉22および外部扉24には扉開閉ハンドルが設けられている。
【００３２】
外部扉24の外壁面に、火薬16を爆発させる起爆装置17が設置されている。この起爆装置17は、火薬16まで配線された起爆用リード線に電力を供給する電池と、この電池からの電力供給をオン/オフ操作するスイッチとを備えている。この起爆装置17に扉開閉ハンドル25が設けられ、扉開閉ハンドル25が扉閉じ状態にあるときのみ起爆装置17が作動するように構成されている。
【００３３】
図３乃至図５に示されるように、火薬16は、ガラス板11gに対向する側を開口した凹形断面の鉄製の火薬収納枠体16fに収納されたものである。
【００３４】
図３および図４に示されるように、遮蔽壁体13の内部では、火薬収納枠体16fに対応する空間31の左右側方および上方に隔壁部32，33が設けられ、これらの隔壁部32，33には、圧抜き穴34，35を経て連通可能な圧抜き空間36，37が設けられ、圧抜き空間36は、圧抜き空間37を経て降下装置18が設置された大空間38に連通されている。
【００３５】
図４に示されるように、降下装置18は、降下速度を遊星歯車などを用いて制限できる緩降機18aを用いて２組のロープ18bを交互に繰り出せるようにしたものであり、各ロープ18bの先端には、避難者の身体に装着される装着具18cがそれぞれ接続されている。１組のロープ18bおよび装着具18cは、収納ケース18d内に巻き取られるように収納されている。
【００３６】
さらに、火薬収納枠体16fの下部上には、円弧状断面のロープガイド41が設けられ、このロープガイド41によってロープ18bが円滑に摺動されるようになっている。
【００３７】
また、遮蔽壁体13の内壁面には斧42が係着され、火薬16の爆発によりガラス板11gが破壊寸前の状態にとどまっている場合は、この斧42によりガラス板11gを破壊して脱出口を確保する。
【００３８】
図５に示されるように、火薬収納枠体16fの内部には、６箇所に起爆用リード線の接続部16Lが設けられている。
【００３９】
次に、この図２乃至図５に示された実施の形態の作用効果を説明する。
【００４０】
火災などにより高層建築物の嵌め殺し式ガラス窓11を脱出口として緊急脱出せざるを得ない場合は、遮蔽壁体13の内部扉22および外部扉24を閉じた状態で、起爆装置17を操作して火薬収納枠体16f内の火薬16を爆発させ、この爆発により火薬設置域内のガラス板を破壊または破壊寸前の状態にし、脱出口を確保する。
【００４１】
爆発のときに、火薬収納枠体16fに対応する空間31で瞬時に発生した圧力は、隔壁部32，33の圧抜き穴34，35を経て、圧抜き空間36，37に逃がし、さらに大空間38に導くことで、低下させることができ、大空間38内に設置された降下装置18を火薬16の爆発から保護する。
【００４２】
そして、避難者は、外部扉24および内部扉22を開け、火薬16の爆発により確保された脱出口から、降下装置18の緩降機18aを用いて２組のロープ18bを交互に繰り出すようにして、一方のロープ18bを下げと他方のロープ18bの上げとを交互に繰り返して、各ロープ18bの先端に設けられた装着具18cにより順次脱出する。
【００４３】
このようにして、火薬収納枠体16fによりガラス板11gに沿って配設された火薬16を、起爆装置17により爆発させることで、高層建築物に用いられる高強度のガラス板11gであっても、降下装置18により避難者を降下させるための緊急脱出用の開口を、短時間のうちに容易にかつ確実に確保できる。
【００４４】
その際、火薬16の室内側の周囲空間を覆う遮蔽壁体13により、火薬16の爆発時に発生した爆風によるガラス板11gの破片などの室内への飛散を防止できる。特に、内部扉22および外部扉24の２重の爆発対策により、遮蔽壁体13の遮蔽効果を高めることができる。
【００４５】
さらに、ガラス板11gに対向する側を開口した凹形断面の火薬収納枠体16fにより、この火薬収納枠体16fに収納された火薬16の破壊力が、ガラス板11gに向かって効率良く作用するため、火薬量と、内側への爆風とを最少限に抑えることができる。
【００４６】
本発明は、高層建築物からの脱出に用いる緊急脱出装置に利用可能である。
【図面の簡単な説明】
【００４７】
【図１】本発明に係る緊急脱出装置の一実施の形態を示す斜視図である。
【図２】本発明に係る緊急脱出装置の他の実施の形態を示す斜視図である。
【図３】同上脱出装置の平断面図である。
【図４】図３のIV-IV線断面図である。
【図５】図３のＶ-Ｖ線での矢視図である。
【符号の説明】
【００４８】
11g   ガラス板
13    遮蔽壁体
16    火薬
16f   火薬収納枠体
17    起爆装置
18    降下装置
22    内部扉
23    開口部
24    外部扉
【図１】
2008161428.tif 000003
【図２】
2008161428.tif 000004
【図３】
2008161428.tif 000005
【図４】
2008161428.tif 000006
【図５】
2008161428.tif 000007